(57)【要約】【課題】作業者にとって、修理対象の電子機器においてネジの数が不足していることを容易に判断することのできるネジ整理用シートを生成するシート印刷システムを提供する。【解決手段】電子機器を修理するために前記電子機器から取り外されたネジを差し込み可能な複数のネジ穴を備えるネジ整理用プレート上に、修理対象である電子機器に応じて、前記複数のネジ穴のうち、前記修理対象である電子機器の修理の際に用いないネジ穴を示すネジ整理用シートとを備えることを特徴とする。【選択図】図２
2011073817.tif 000002
【特許請求の範囲】
【請求項１】
電子機器を修理するために前記電子機器から取り外されたネジを差し込み可能な複数のネジ穴を備えるネジ整理用プレート上に、修理対象である電子機器に応じて、前記複数のネジ穴のうち、前記修理対象である電子機器の修理の際に用いないネジ穴を示すネジ整理用シートとを備えることを特徴とするネジ整理用装置。
【請求項２】
前記複数のネジ穴は、複数の穴径のネジ穴を備えることを特徴とするネジ整理用装置。
【請求項３】
電子機器を修理するために前記電子機器から取り外されたネジを差し込み可能な複数のネジ穴を備えるネジ整理用プレート上に、修理対象である電子機器に応じて、前記複数のネジ穴のうち、前記修理対象である電子機器の修理の際に用いないネジ穴を示すネジ整理用シートを印刷するネジ穴整理用シート印刷システムであって、
修理対象の電子機器の情報を蓄積するデータベースから、前記修理対象である電子機器を識別する情報に基づいて、前記電子機器の修理の際に用いないネジ穴を示す情報を取得するネジ穴情報取得手段と、
前記ネジ穴情報取得手段によって取得された修理の際に用いないネジ穴を示す情報に基づいて、修理の際に用いるネジ穴と修理の際に用いないネジ穴とを区別して、前記ネジ穴整理用シートに印字する印刷手段とを備えることを特徴とするネジ穴整理用シート印刷システム。
【発明の詳細な説明】
【技術分野】
【０００１】
本発明は、電子機器等の修理の際に用いるネジ整理用装置に関する。
【背景技術】
【０００２】
近年のパーソナルコンピュータを始めとする電子機器には、多くの大きさの異なるネジ類が使用されており、当該電子機器の修理のために、電子機器を分解・組み立てを行う際に、ネジが散乱・紛失してしまうことがある。
【０００３】
そこで、ネジを整理・保管するために、ネジが適用される箇所にファスナー付きの透明袋に吊り下げ、当該透明袋にネジを保管するネジ類整理装置が特許文献１に開示されている。
【０００４】
しかしながら、特許文献１のネジ類整理装置には、次のような問題がある。
【０００５】
まず、電子機器を分解する際に、ネジを外して透明袋に整理するためには、作業者は、一方の手を使ってファスナーを開き、他方の手を使って外したネジを透明袋の中に入れ、再度一方の手を使ってファスナーを綴じるという作業が発生し、作業効率が悪い。
【０００６】
また、電子機器を組み立てる際にも、ファスナーを開き、透明袋の中からネジを取り出し、ファスナーを綴じるという作業が発生し、同様に作業効率が悪い。
【０００７】
このような問題を解決するため、特許文献２に開示されているクイックナット技術を応用して、ドライバの先端にネジを勘合させて、ネジ穴に差し込むことで、ドライバを持つ手だけでネジを保管することのできるプッシュラッチ機構を備えるネジ保持器具も検討されている。
【０００８】
【特許文献１】登録実用新案第３０２１１０７号公報
【特許文献２】特開２００２−０９８１２５号公報
【発明の開示】
【発明が解決しようとする課題】
【０００９】
ところで、近年の電子機器に使用されるネジの数は非常に多くなっており、作業者は、修理作業中に、取り外すべきネジの数が不足していることを、容易に判断することが極めて困難となっている。
【００１０】
もし、作業者が、修理作業中、ネジの数が不足していることを容易に判断することができれば、補充の必要なネジの数がすぐにわかり、新たに用意することも可能である。
【００１１】
しかしながら、特許文献１に開示されているネジ類整理装置では、ネジを適用すべき位置は容易に判断できるものの、ネジの不足を判断することはできない。
【００１２】
そこで、本発明は、作業者にとって、修理対象の電子機器においてネジの数が不足していることを容易に判断することのできるネジ整理用シートを生成するシート印刷システムを提供することを目的とする。
【課題を解決するための手段】
【００１３】
本発明の第１のネジ整理用装置は、ネジを差し込み可能な複数のネジ穴を備えるネジ整理用プレートと、前記ネジ整理用プレート上に設置される、修理対象である電子機器に応じて、前記複数のネジ穴のうち、前記修理対象である電子機器の修理の際に用いないネジ穴を塞ぐネジ整理用シートとを備えることを特徴とする。
【００１４】
本発明の第１のネジ穴整理用シート印刷システムは、ネジを差し込み可能な複数のネジ穴を備えるネジ整理用プレート上に設置される、修理対象である電子機器に応じて、前記複数のネジ穴のうち、前記電子機器の修理の際に用いないネジ穴を塞ぐネジ整理用シートを印刷するネジ穴整理用シート印刷システムであって、修理対象となる電子機器の情報を蓄積するデータベースから、前記電子機器を識別する情報に基づいて、前記電子機器の修理の際に塞ぐネジ穴を示す情報を取得するネジ穴情報取得手段と、前記ネジ穴情報取得手段によって取得された塞ぐネジ穴を示す情報に基づいてネジ穴を塞ぐこと示すマークを前記ネジ穴整理用シートに印字する印刷手段とを備えることを特徴とする。
【発明の効果】
【００１５】
本発明によれば、作業者にとって、修理対象の電子機器においてネジの数が不足していることを容易に判断することのできるネジ整理用シートを生成するシート印刷システムを提供することができる。
【図面の簡単な説明】
【００１６】
【図１】本発明の実施の形態のシート印刷システムを説明するためのブロック図である。
【図２】本発明の実施の形態のネジ整理用プレートの構成を説明するための図である。
【図３】本発明の実施の形態のネジ整理用プレートのネジ固定部の構成を説明するための図である。
【図４】本発明の実施の形態のシート印刷システムの動作を説明するためのフローチャートである。
【図５】本発明の実施の形態のデータベースのデータ形式を説明するための例である。
【図６】本発明の実施の形態のネジ整理用シートを説明するための例である。
【発明を実施するための形態】
【００１７】
以下、図面を参照して本発明を実施するための最良の形態について説明する。図１を参照すると、本発明の実施の形態のシート印刷システムは、端末装置１０と、サーバ装置４０とからなる。端末装置１０とサーバ装置４０とは、ネットワークを介して接続される。端末装置１０には、さらにシート印刷装置３０が接続されている。なお、端末装置１０とシート印刷装置３０とは、それぞれ複数あっても良い。
【００１８】
まず、本発明の実施の形態のシート印刷システムの概略を説明すると、端末装置１０は、作業者が入力した修理対象の電子機器を特定する情報に基づいて、サーバ装置４０に格納されるＤＢ４１から修理対象の電子機器とそれに対応するネジ穴の位置情報を照会して、ネジ整理用シートを印刷する。以下、詳細に説明する。
【００１９】
端末装置１０は、制御部２０を備えている。制御部２０は、記録媒体に格納されたプログラムを読み込んで実行することにより、ネジ情報取得手段２１と、印刷手段２２とを論理的に備える。
【００２０】
シート印刷装置３０は、後述するネジ整理プレート５０上に配置するネジ整理用シート６０を印刷するための印刷装置である。
【００２１】
サーバ装置４０は、修理対象となるそれぞれの電子機器を特定する情報と、それに対応するネジ数を示す情報を保有するデータベースであるＤＢ４１を備える。電子機器を特定する情報の具体例は、電子機器の型番、識別番号が挙げられる。また、ネジ穴の位置情報は、筐体、ＨＤＤ、ＯＤＤ、マザーボードといった電子機器を構成する部品毎のネジ穴の位置情報を保有することとしても良い。
【００２２】
ネジ整理プレート５０は、ネジを差し込むネジ穴を複数備えている。
【００２３】
図２は、本発明の実施の形態のネジ整理用プレート５０の構造を説明するための一例である。
【００２４】
図２を参照すると、ネジ整理用プレート５０は、ネジを差し込むネジ穴５１（ｉ）（ｉは、１〜ｎのいずれかの整数）を複数備えている。
【００２５】
それぞれの穴の内部には、プッシュラッチ機構によるネジ固定部５２が備えられている。
【００２６】
図３を参照して、ネジ固定部５２の動作について説明する。図３（ａ）及び図３（ｂ）は、ネジ穴の側面図である。
【００２７】
図３（ａ）は、ネジ穴５１（ｉ）にネジを差し込む前の状態を示した図である。作業者がネジをドライバの先端に勘合させた状態で、ネジ穴５１（ｉ）にネジを差し込むと、ネジの先端が穴底５３を押す。
【００２８】
穴底５３が押されると、ツメ５４が広がる。ツメ５４が広がった後に、作業者がネジをドライバの先端から取り外すと、穴底５３を押す力が失われ、ツメ５４がネジを挟む。
【００２９】
図３（ｂ）は、ツメ５４がネジを挟んだ状態を示す図である。
【００３０】
なお、作業者は、電磁ドライバを用いることで、上述の作業を片手で行うことができる。
【００３１】
ところで、一般に、電子機器に用いられるネジの太さは一定ではない。そこで、複数の穴径を有するネジ穴５１（ｉ）、５１（ｉ＋１）、５１（ｉ＋２）・・・、５１（ｍ）をネジ整理用プレート５０に備えるようにすれば良い。
【００３２】
例えば、太さが１．５ｍｍと、３．５ｍｍと、５ｍｍのネジを使用している電子機器であれば、２ｍｍ、４ｍｍ、６ｍｍの３種類の穴径を有するネジ穴５１（ｉ）、５１（ｉ＋１）、５１（ｉ＋２）を備えていれば足りる。２ｍｍ毎に１つの穴径を用意すれば、ツメ５４の稼動範囲（１ｍｍ程度とする）でもってネジの太さの違いを吸収することができる。
【００３３】
また、ネジ整理用プレート５０は、縦置きすることも可能なように底面に磁石を備え、例えば、分解済みの筐体の面にネジ整理用プレート５０を貼り付け可能にしても良い。
【００３４】
ネジ整理用シート６０は、ネジ整理用プレート５０の上面に被せて配置する。詳細については後述する。
【００３５】
次に、図４を参照して、本発明の実施の形態の動作について説明する。図４は、本発明の実施の形態の動作を説明するためのフローチャートである。
【００３６】
まず、端末装置１０に電源が投入されると、ネジ情報取得手段２１は、作業者からの修理対象の電子機器の入力がなされるまで待機する状態となる（ステップＳ１０１）。作業者から入力される修理対象の電子機器の情報は、例えば、当該電子機器の型番情報である。より具体的には、「ＰＣ−ＶＬ９９０ＳＧ」といった型番名が入力される。
【００３７】
ステップＳ１０１で、作業者から修理対象の電子機器の情報が入力されると（ステップＳ１０１／ＹＥＳ）、ネジ情報取得手段２１は、入力された修理対象の電子機器の情報に基づいて、ＤＢ４１から修理対象の電子機器のネジ穴の位置情報を取得する（ステップＳ１０２）。
【００３８】
図５は、ＤＢ４１に格納されているデータ形式の例である。図５（ａ）を参照すれば、修理対象の電子機器とその部品毎にネジを差し込むべきネジ穴５１（ｉ）の位置や、ネジの数、穴径を示す情報が対応付けられている。
【００３９】
また、異なる例としては、図５（ｂ）に示すように、整理用プレート５０が備えるそれぞれのネジ穴５１（１）〜５１（ｎ）に対応して、開閉（要否）を示す情報を保持するようにしても良い。
【００４０】
さらに、ネジ穴５１（１）〜５１（ｎ）の穴径が統一されているのであれば、修理対照の電子機器と、その修理対象の電子機器に用いられているネジの数を示す情報とが対応付けられていれば良い。
【００４１】
ステップＳ１０２で、修理対象の電子機器のネジ穴５１（ｉ）の位置情報を取得すると、印刷手段２２は、シート印刷装置３０に対して、取得したネジ穴５１（ｉ）の位置情報に基づいてシート印刷を実行させる（ステップＳ１０３）。なお、修理対象の電子機器を修理する際に、複数のネジ穴を使用する必要がある場合には、複数のネジ穴の位置情報をそれぞれ取得して、シート印刷を実行させることになる。以降は、説明を簡略化するために、修理対象の電子機器を修理する際に必要なネジ穴の個数は１個として説明をする。
【００４２】
ステップＳ１０３の処理をより詳細に説明する。シート印刷装置３０には、ネジの数の情報を印刷するための台紙がセットされている。台紙は、整理用プレート５０の上面と同一のサイズであり、予めそれぞれのネジ穴５１（ｉ）の位置に相当する箇所にミシン目がある。シート印刷装置３０は、印刷手段２２からの指示に応じて、修理対象の電子機器のネジ穴５１（ｉ）の位置情報に基づいて、台紙上の印字すべきネジ穴５１（ｉ）の位置に所定のマーク（印）を印字する。ネジ穴５１（ｉ）の位置情報に基づいて、台紙上の印字すべきネジ穴５１（ｉ）の位置にのみ印字を行うので、例えば、修理対象の電子機器によっては不要なネジ穴５１（ｊ）の箇所には印字がされない。
【００４３】
つまり、ネジ整理用プレート５０の上にネジ整理用シート６０で被せることにより、不要なネジ穴５１（ｊ）を塞ぐことになる。
【００４４】
また、シート印刷装置３０は、シート性利用シート６０を印刷する際に、修理対象の電子機器の部品毎に台紙に印刷する色を区別させても良い。
【００４５】
図６は、印刷済みのネジ整理用シート６０を示す一例である。図６を参照すると、シート整理用シート６０は、トップカバー、ＨＤＤ、ＯＤＤ、マザーボードといった修理対象の電子機器を構成するそれぞれの部品毎に、シート印刷装置３０によって、区分印刷されている。なお、右上に印字されている「ＰＣ−ＶＬ９９０ＳＧ」は修理対象の電子機器の型番である。また、それぞれの区分内に必要なネジ穴５１（ｉ）〜５１（ｉ＋ｍ）の位置を示すマークが印字されている。さらに、それぞれのネジ穴５１（ｉ）を示すマークは、シート印刷装置３０によって、ネジ穴５１（ｉ）の穴径によって大きさが異なるように印刷されるようにしても良い。
【００４６】
図６を参照して、より具体的に説明すると、トップカバーであれば、５箇所のネジ穴５１（ｉ）〜５１（ｉ＋４）の位置を示すマークが印字される。作業者は、このネジ整理用シート６０をネジ整理用プレート５０に被せると、マークが印字された位置にネジを刺す。これにより、ネジの先端が、ネジ整理用シート６０を突き破り、穴底５３まで到達する。
【００４７】
また、ネジ整理用シート６０を、ネジ整理用プレート５０の上面に被せるように設置する前に、作業者の作業によって、印刷されたネジ整理用シート６０のネジ穴５１（ｉ）を示す位置のミシン目を切りとることによって、ネジ整理用シート６０に、ネジを通すための穴を開くことができるようにしても良い。
【００４８】
以上のような処理により生成されたネジ整理用シートをネジ整理用プレート上面に設置することで、ネジ整理用プレートのどのネジ穴５１（ｉ）が空いているによってネジの不足が、作業者にとって明確になり、さらに、ネジ穴５１（１）〜５１（ｎ）にプッシュラッチ機構を設けることで作業者が片手でネジの取り外し等の作業ができるようになり修理作業が効率化する。
【符号の説明】
【００４９】
１０  端末装置
２０  制御部
２１  ネジ情報取得手段
２２  印刷手段
３０  シート印刷装置
４０  サーバ装置
４１  ＤＢ
５０  ネジ整理用プレート
５１  ネジ穴
５２  ネジ固定部
５３  穴底
５４  ツメ
６０  ネジ整理用シート
【図１】
2011073817.tif 000003
【図２】
2011073817.tif 000004
【図３】
2011073817.tif 000005
【図４】
2011073817.tif 000006
【図５】
2011073817.tif 000007
【図６】
2011073817.tif 000008